(57)【要約】      （修正有）【課題】搬送波集成システムにおけるＤＲＸタイマーをカウントする方法及びその装置を提供する。【解決手段】方法は、少なくとも１つのＦＤＤ（Ｆｒｅｑｕｅｎｃｙ  Ｄｉｖｉｓｉｏｎ  Ｄｕｐｌｅｘ；周波数分割デュプレックス）サービングセル及び少なくとも１つのＴＤＤ（Ｔｉｍｅ  Ｄｉｖｉｓｉｏｎ  Ｄｕｐｌｅｘ；時間分割デュプレックス）サービングセルを含む複数のセルを設定するステップと、サブフレームでＤＲＸ（Ｄｉｓｃｏｎｔｉｎｕｏｕｓ  Ｒｅｃｅｐｔｉｏｎ；不連続受信）タイマーをカウントするステップと、を有する前記サブフレームは、全てのＴＤＤサービングセルに対して上りリンクサブフレームである。【選択図】図１０
2018026873.tif 000002
【特許請求の範囲】
【請求項１】
無線通信システムで動作する端末（ｕｓｅｒ  ｅｑｕｉｐｍｅｎｔ）に対する方法であって、
少なくとも１つのＦＤＤ（Ｆｒｅｑｕｅｎｃｙ  Ｄｉｖｉｓｉｏｎ  Ｄｕｐｌｅｘ；周波数分割デュプレックス）サービングセル及び少なくとも１つのＴＤＤ（Ｔｉｍｅ  Ｄｉｖｉｓｉｏｎ  Ｄｕｐｌｅｘ；時間分割デュプレックス）サービングセルを含む複数のセルを設定するステップと、
サブフレームでＤＲＸ（Ｄｉｓｃｏｎｔｉｎｕｏｕｓ  Ｒｅｃｅｐｔｉｏｎ；不連続受信）タイマーをカウントするステップであって、前記サブフレームは、前記全てのＴＤＤサービングセルに対して上りリンクサブフレームである、ステップを有する、方法。
【請求項２】
前記ＤＲＸタイマーは、ｄｒｘ−不活性タイマー、ｄｒｘ−再伝送タイマー、又はｏｎＤｕｒａｔｉｏｎタイマーの少なくとも１つを含む、請求項１に記載の方法。
【請求項３】
前記サブフレームが前記複数のセルの少なくとも１つのセルに対して下りリンクサブフレーム及びＤｗＰＴＳサブフレームである場合、前記ＤＲＸタイマーは前記サブフレームでカウントされる、請求項１に記載の方法。
【請求項４】
前記サブフレームを含む前記ＦＤＤサービングセルの全てのサブフレームは、下りリンクサブフレームであり、前記全てのＦＤＤサービングセルは、ｓｃｈｅｄｕｌｉｎｇＣｅｌｌＩｄが設定されない、請求項３に記載の方法。
【請求項５】
前記全てのＴＤＤサービングセルは、ｓｃｈｅｄｕｌｉｎｇＣｅｌｌＩｄが設定されない、請求項１に記載の方法。
【請求項６】
無線通信システムで動作する端末（ｕｓｅｒ  ｅｑｕｉｐｍｅｎｔ）であって、
ＲＦ（Ｒａｄｉｏ  Ｆｒｅｑｕｅｎｃｙ）モジュールと、
前記ＲＦモジュールを制御するプロセッサと、
を備え、
前記プロセッサは、少なくとも１つのＦＤＤ（Ｆｒｅｑｕｅｎｃｙ  Ｄｉｖｉｓｉｏｎ
Ｄｕｐｌｅｘ；周波数分割デュプレックス）サービングセル及び少なくとも１つのＴＤＤ（Ｔｉｍｅ  Ｄｉｖｉｓｉｏｎ  Ｄｕｐｌｅｘ；時間分割デュプレックス）サービングセルを含む複数のセルを設定し、サブフレームでＤＲＸ（Ｄｉｓｃｏｎｔｉｎｕｏｕｓ  Ｒｅｃｅｐｔｉｏｎ；不連続受信）タイマーをカウントし、前記サブフレームは、前記全てのＴＤＤサービングセルに対して上りリンクサブフレームである、端末。
【請求項７】
前記ＤＲＸタイマーは、ｄｒｘ−不活性タイマー、ｄｒｘ−再伝送タイマー、又はｏｎＤｕｒａｔｉｏｎタイマーの少なくとも１つを含む、請求項６に記載の端末。
【請求項８】
前記サブフレームが前記複数のセルの少なくとも１つのセルに対して下りリンクサブフレーム及びＤｗＰＴＳサブフレームである場合、前記ＤＲＸタイマーは前記サブフレームでカウントされる、請求項６に記載の端末。
【請求項９】
前記サブフレームを含む前記ＦＤＤサービングセルの全てのサブフレームは、下りリンクサブフレームであり、前記全てのＦＤＤサービングセルは、ｓｃｈｅｄｕｌｉｎｇＣｅｌｌＩｄが設定されない、請求項８に記載の端末。
【請求項１０】
前記全てのＴＤＤサービングセルは、ｓｃｈｅｄｕｌｉｎｇＣｅｌｌＩｄが設定されない、請求項６に記載の端末。
【発明の詳細な説明】
【技術分野】
【０００１】
本発明は、無線通信システムに関し、特に、搬送波集成システムにおけるＤＲＸタイマーをカウントする方法及びその装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、"ＬＴＥ"という）通信システムについて概略的に説明する。
【０００３】
図１は、無線通信システムの一例として、Ｅ−ＵＭＴＳ網の構造を概略的に示した図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンクまたは上りリンク送信サービスを提供する。互いに異なるセルは、互いに異なる帯域幅を提供するように設定することができる。基地局は、多数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィックまたは制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡ（登録商標）に基づいてＬＴＥまで開発されてきたが、ユーザと事業者の要求と期待は増加の一途にある。また、他の無線接続技術が継続して開発されているので、今後、競争力を有するためには新たな技術進化が要求され、ビット当たり
の費用減少、サービス可用性増大、融通性のある周波数バンドの使用、単純構造と開放型インターフェース、端末の適度な電力消耗などが要求される。
【発明の概要】
【発明が解決しようとする課題】
【０００７】
本発明の目的は、Ｄ２Ｄ通信システムのための通知方法及び装置を提供することにある。本発明で遂げようとする技術的課題は、以上で言及した技術的課題に制限されず、言及していない他の技術的課題は、以下の記載から、本発明の属する技術の分野における通常の知識を有する者に明確に理解されるであろう。
【課題を解決するための手段】
【０００８】
本発明の目的は、無線通信システムにおいて端末（ｕｓｅｒ  ｅｑｕｉｐｍｅｎｔ）を動作する方法であって、少なくとも１つのＦＤＤ（Ｆｒｅｑｕｅｎｃｙ  Ｄｉｖｉｓｉｏｎ
Ｄｕｐｌｅｘ；周波数分割デュプレックス）サービングセル及び少なくとも１つのＴＤＤ（Ｔｉｍｅ  Ｄｉｖｉｓｉｏｎ  Ｄｕｐｌｅｘ；時間分割デュプレックス）サービングセルを含む複数のセルを設定するステップと、サブフレームでＤＲＸ（Ｄｉｓｃｏｎｔｉｎｕｏｕｓ  Ｒｅｃｅｐｔｉｏｎ；不連続受信）タイマーをカウントするステップであって、前記サブフレームは、前記全てのＴＤＤサービングセルに対して上りリンクサブフレームである、ステップとを有する。
【０００９】
本発明の他の形態において、無線通信システムで動作する端末（ｕｓｅｒ  ｅｑｕｉｐｍｅｎｔ）であって、無線周波数（ＲＦ；ｒａｄｉｏ  ｆｒｅｑｕｅｎｃｙ）モジュールと、前記ＲＦモジュールを制御するように構成されるプロセッサとを備え、前記プロセッサは、少なくとも１つのＦＤＤ（Ｆｒｅｑｕｅｎｃｙ  Ｄｉｖｉｓｉｏｎ  Ｄｕｐｌｅｘ；周波数分割デュプレックス）サービングセル及び少なくとも１つのＴＤＤ（Ｔｉｍｅ  Ｄｉｖｉｓｉｏｎ  Ｄｕｐｌｅｘ；時間分割デュプレックス）サービングセルを含む複数のセルを設定し、サブフレームでＤＲＸ（Ｄｉｓｃｏｎｔｉｎｕｏｕｓ  Ｒｅｃｅｐｔｉｏｎ；不連続受信）タイマーをカウントし、前記サブフレームは、前記全てのＴＤＤサービングセルに対して上りリンクサブフレームを含む。
【００１０】
好ましくは、前記ＤＲＸタイマーは、ｄｒｘ−不活性タイマー、ｄｒｘ−再伝送タイマー、又はｏｎＤｕｒａｔｉｏｎタイマーの少なくとも１つを含む。
【００１１】
好ましくは、前記サブフレームが前記複数のセルの少なくとも１つのセルに対して下りリンクサブフレーム及びＤｗＰＴＳサブフレームである場合、前記ＤＲＸタイマーは前記サブフレームでカウントされてもよい。
【００１２】
好ましくは、前記サブフレームを含む前記ＦＤＤサービングセルの全てのサブフレームは下りリンクサブフレームであり、前記全てのＦＤＤサービングセルは、ｓｃｈｅｄｕｌｉｎｇＣｅｌｌＩｄが設定されなくてもよい。
【００１３】
好ましくは、前記全てのＴＤＤサービングセルは、ｓｃｈｅｄｕｌｉｎｇＣｅｌｌＩｄが設定されなくてもよい。
【００１４】
上述した一般的な説明と次の本発明の詳細な説明は、例示的かつ説明的なものであり、本発明の更なる説明を提供するために意図されたものとして理解しなければならない。
【発明の効果】
【００１５】
本発明によれば、ＤＲＸ（Ｄｉｓｃｏｎｔｉｎｕｏｕｓ  Ｒｅｃｅｐｔｉｏｎ；不連続受信）タイマーをカウントする効率的な方法を提供することができる。特に、端末は、ＴＤ
Ｄ−ＦＤＤ連合動作でＤＲＸをカウントすることができる。
【００１６】
本発明から得られる効果は、以上で言及した効果に制限されず、言及していない他の効果は、以下の記載から、本発明の属する技術の分野における通常の知識を有する者にとっては明らかになるであろう。
【００１７】
本明細書に添付される図面は、本発明に対する理解を提供するためのもので、本発明の様々な実施形態を示し、明細書の記載と共に本発明の原理を説明するためのものである。
【図面の簡単な説明】
【００１８】
【図１】無線通信システムの一例としてＥ−ＵＭＴＳネットワーク構造を概略的に示す図である。
【図２Ａ】Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ネットワーク構造を示すブロック図である。
【図２Ｂ】一般的なＥ−ＵＴＲＡＮとＥＰＣの構造を示すブロック図である。
【図３】３ＧＰＰ無線接続ネットワーク規格に基づいた端末とＥ−ＵＴＲＡＮ間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）構造を示す図である。
【図４】本発明の実施例に係る通信装置のブロック図である。
【図５】無線フレーム構造を示す図である。
【図６】ＤＲＸ（Ｄｉｓｃｏｎｔｉｎｕｏｕｓ  Ｒｅｃｅｐｔｉｏｎ）動作の概念を示す図である。
【図７】ＬＴＥシステムにおけるＤＲＸ動作のための方法を示す図である。
【図８】搬送波集成（ｃａｒｒｉｅｒ  ａｇｇｒｅｇａｔｉｏｎ）を示す図である。
【図９Ａ】ＦＤＤ  ＵＥ動作のためのテーブルの一例を示す図である。
【図９Ｂ】ＴＤＤ  ＵＥ動作のためのテーブルの一例を示す図である。
【図１０】本発明の実施例に係る搬送波集成システムにおけるＤＲＸタイマーカウンティングを示す概念図である。
【図１１】本発明の実施例に係る搬送波集成システムにおけるＤＲＸタイマーカウンティングの例示図である。
【図１２】本発明の実施例に係る搬送波集成システムにおけるＤＲＸタイマーカウンティングの例示図である。
【発明を実施するための形態】
【００１９】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（登録商標）（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ−Ｔｅｒｍ  Ｅｖｏｌｕｔｉｏｎ）は、ＵＭＴＳを規格化する３ＧＰＰによって議論中にある。
【００２０】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位−レベル要求であって、ビット（ｂｉｔ）当たりの費用減少、増加したサービス可用性、周波数帯域の柔軟性、単純な構造、開放型インターフェース、及び端
末の適切な電力消耗を要求する。
【００２１】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００２２】
本明細書は、ＬＴＥシステム及びＬＴＥ−Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ−ＦＤＤ方式又はＴＤＤ方式にも容易に変形して適用することができる。
【００２３】
図２Ａは、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ−ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００２４】
図２Ａに示したように、Ｅ−ＵＭＴＳ網は、Ｅ−ＵＴＲＡＮ（ｅｖｏｌｖｅｄ  ＵＭＴＳ
ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ−ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ−ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００２５】
本明細書において、「下りリンク（ｄｏｗｎｌｉｎｋ）」は、ｅＮＢ２０から端末１０への通信を称し、「上りリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００２６】
図２Ｂは、一般的なＥ−ＵＴＲＡＮと一般的なＥＰＣの構造を示すブロック図である。
【００２７】
図２Ｂに示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００２８】
ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００２９】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）ＵＥ接近性（Ｒｅａｃｈａｂｉｌｉｔｙ）、（遊休モード及び活性モード（ａｃｔ
ｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ
３ＧＰＰ接続ネットワークへのハンドオーバーのためのＳＧＳＮ選択、ローミング、認証、専用ベアラー設定を含むベアラー管理、（ＥＴＷＳ及びＣＭＡＳを含む）ＰＷＳメッセージ送信のためのサポートを含む多様な機能を行う。ＳＡＥゲートウェイホストは、パー−ユーザ（Ｐｅｒ−ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割り当て、下りリンクでの送信（Ｔｒａｎｓｐｏｒｔ）レベルパケットマーキング、ＵＬ及びＤＬサービスレベル課金、ゲーティング及びレート強化、ＡＰＮ−ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００３０】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００３１】
図２Ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割り当て、ｅＮＢ測定の構成及び準備、無線ベアラー制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラー制御、及び非−接続層（Ｎｏｎ−Ａｃｃｅｓｓ  Ｓｔｒａｔｕｍ、ＮＡＳ）シグナリングの暗号化及び無欠性保護などの各機能を行うことができる。
【００３２】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング−ゲートウェイ（ｓｅｒｖｉｎｇ−ｇａｔｅｗａｙ、Ｓ−ＧＷ）、及びパケットデータネットワーク−ゲートウェイ（Ｐａｃｋｅｔ  Ｄａｔａ  Ｎｅｔｗｏｒｋ−Ｇａｔｅｗａｙ、ＰＤＮ−ＧＷ）を含む。ＭＭＥは、主に各端末の移動性を管理する目的で用いられる接続及び可用性に対する情報を有する。Ｓ−ＧＷは、Ｅ−ＵＴＲＡＮを終端点として有するゲートウェイで、ＰＤＮ−ＧＷは、パケットデータネットワーク（ＰＤＮ）を終端点として有するゲートウェイである。
【００３３】
図３は、３ＧＰＰ無線接続網規格を基盤にした端末とＥ−ＵＴＲＡＮとの間の無線インターフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００３４】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃ
ｏｎｔｒｏｌ）層とは伝送チャネル（Ｔｒａｎｓｐｏｒｔ  Ｃｈａｎｎｅｌ）を介して接続されている。前記伝送チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３５】
第２の層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は、信頼性のあるデータ送信をサポートする。ＲＬＣ層の機能は、ＭＡＣ内部の機能ブロックで具現することもできる。第２の層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００３６】
第３の層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワークとの間のデータ伝達のために第２の層によって提供されるサービスを意味する。このために、端末とネットワークのＲＲＣ層は、互いにＲＲＣメッセージを交換する。
【００３７】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００３８】
Ｅ−ＵＴＲＡＮから端末への送信のための下りリンク伝送チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ
Ｃｈａｎｎｅｌ）、及びユーザトラフィック又は各制御メッセージを送信するための下りリンク共有チャネル（Ｓｈａｒｅｄ  Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ  Ｃｈａｎｎｅｌ）を介して送信することもできる。
【００３９】
端末からネットワークにデータを送信する上りリンク伝送チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信する上りリンクＳＣＨ（Ｓｈａｒｅｄ  Ｃｈａｎｎｅｌ）とがある。伝送チャネルの上位にあり、伝送チャネルにマッピングされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃ
ｈａｎｎｅｌ）などがある。
【００４０】
図４は、本発明の実施例に係る通信装置のブロック図である。
【００４１】
図４に示された装置は、上述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【００４２】
図４に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリー１５５、ディスプレイ１１５、キーパッド１２０、ＳＩＭカード１２５、メモリデバイス１３０、スピーカー１４５及び入力デバイス１５０をさらに含むこともできる。
【００４３】
特に、図４は、ネットワークから要請メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機（受信機及び送信機、１３５）に接続されたプロセッサ１１０をさらに含むこともできる。
【００４４】
また、図４は、端末に要請メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【００４５】
図５には、無線フレーム構造を示す。セルラーＯＦＤＭ無線パケット通信システムにおいて、上りリンク／下りリンクデータパケット伝送は、サブフレーム単位で行われる。サブフレームは、複数のＯＦＤＭシンボルを含む所定の時間間隔（ｔｉｍｅ  ｉｎｔｅｒｖａｌ）と定義される。ＬＴＥ（−Ａ）は、ＦＤＤ（ｆｒｅｑｕｅｎｃｙ  ｄｉｖｉｓｉｏｎ
ｄｕｐｌｅｘ）に適用可能なタイプ−１無線フレーム構造、及びＴＤＤ（ｔｉｍｅ  ｄｉｖｉｓｉｏｎ  ｄｕｐｌｅｘ）に適用可能なタイプ−２無線フレーム構造を支援する。
【００４６】
図５（ａ）は、タイプ−１無線フレーム構造を示す図である。下りリンクサブフレームは１０個のサブフレームを含み、それぞれのサブフレームは時間領域で２個のスロットを含む。１つのサブフレームを送信するための時間は、伝送時間間隔（ｔｒａｎｓｍｉｓｓｉｏｎ  ｔｉｍｅ  ｉｎｔｅｒｖａｌ（ＴＴＩ））と定義される。例えば、それぞれのサブフレームは１ｍｓの長さを有し、各スロットは０．５ｍｓの長さを有する。１つのスロットは、時間領域で複数個のＯＦＤＭシンボルを有し、周波数領域で複数個のリソースブロック（ＲＢ）を有する。ＬＴＥ（−Ａ）で下りリンクはＯＦＤＭを用いるので、ＯＦＤＭシンボルはシンボル周期（ｓｙｍｂｏｌ  ｐｅｒｉｏｄ）を表す。ＯＦＤＭシンボルは、ＳＣ−ＦＤＭＡシンボル又はシンボル周期と呼ぶこともできる。リソース割り当て単位としてのＲＢは、１つのスロット内に複数の連続した副搬送波を含むことができる。
【００４７】
１つのスロットに含まれるＯＦＤＭシンボルの個数はＣＰ（ｃｙｃｌｉｃ  ｐｒｅｆｉｘ）構成に依存する。例えば、ＯＦＤＭシンボルが正規ＣＰ（ｎｏｒｍａｌ  ＣＰ）で構成される場合、１スロットに含まれるＯＦＤＭシンボルは７個であってもよい。ＯＦＤＭシ
ンボルが拡張されたＣＰ（ｅｘｔｅｎｄｅｄ  ＣＰ）で構成される場合、１スロットに含まれるＯＦＤＭシンボルは６個であってもよい。
【００４８】
図５（ｂ）は、タイプ−２無線フレーム構造を示す図である。タイプ−２無線フレームは、２個のハーフフレーム（ｈａｌｆ  ｆｒａｍｅ）を有する。それぞれのハーフフレームは５個のサブフレームを含み、各サブフレームは２個のスロットで構成される。
【００４９】
表１には、ＴＤＤモードで１つの無線フレーム内のサブフレームのＵＬ−ＤＬ（上りリンク−下りリンク）構成を示す。
【表１】
2018026873.tif 000003
【００５０】
表１で、Ｄは下りリンクサブフレームを表し、Ｕは上りリンクサブフレームを表し、Ｓはスペシャルフレームを表す。
【００５１】
スペシャルフレームは、ＤｗＰＴＳ（ｄｏｗｎｌｉｎｋ  ｐｉｌｏｔ  ｔｉｍｅｓｌｏｔ）、ＧＰ（ｇｕａｒｄ  ｐｅｒｉｏｄ）及びＵｐＰＴＳ（ｕｐｌｉｎｋ  ｐｉｌｏｔ  ｔｉｍｅｓｌｏｔ）を含む。ＤｗＰＴＳは下りリンク伝送のための時間（ｐｅｒｉｏｄ）であり、ＵｐＰＴＳは上りリンク伝送のための時間である。
表２には、スペシャルフレーム構成によるＤｗＰＴＳ／ＧＰ／ＵｐＰＴＳの長さを示す。表２で、Ｔｓはサンプリング時間を表す。
【表２】
2018026873.tif 000004
【００５２】
上記の無線フレーム構造は例示的なものであり、無線フレームに含まれるサーフフレームの個数、１つのサブフレームに含まれるスロットの個数、及び１つのスロットに含まれるシンボルの個数は変動してもよい。
【００５３】
図６は、ＤＲＸ（Ｄｉｓｃｏｎｔｉｎｕｏｕｓ  Ｒｅｃｅｐｔｉｏｎ）動作の概念図である。
【００５４】
図６を参照すると、ＲＲＣ＿ＣＯＮＮＥＣＴＥＤ状態の端末に対してＤＲＸが設定されると、端末は、下りリンクチャネル、すなわち、ＰＤＣＣＨを受信しようと試み、所定の時間でのみＰＤＣＣＨモニタリングを行い、余りの時間ではＰＤＣＣＨモニタリングを行わない。端末がＰＤＣＣＨモニタリングを行うべき時間を“オンデューレーション（ｏｎ  ｄｕｒａｔｉｏｎ）”と呼ぶ。ＤＲＸ周期当たりに１つのオンデューレーションが定義される。すなわち、１つのＤＲＸ周期はオンデューレーションの反復周期である。
【００５５】
端末は、１つのＤＲＸ周期内のオンデューレーションでＰＤＣＣＨを常にモニタリングし、ＤＲＸ周期は、オンデューレーションが設定される時間を決定する。ＤＲＸ周期は、ＤＲＸ周期の時間によって、長いＤＲＸ周期と短いＤＲＸ周期とに区別される。長いＤＲＸ周期は、端末のバッテリー消耗を最小化することができ、短いＤＲＸ周期は、データ伝送遅延を最小化することができる。
【００５６】
端末がＤＲＸ周期内のオンデューレーションでＰＤＣＣＨを受信すると、オンデューレーション以外の時間で追加の伝送又は再伝送が起きてもよい。このため、端末は、オンデューレーション以外の時間でＰＤＣＣＨをモニタリングする必要がある。すなわち、端末はオンデューレーション管理タイマー（ｏｎＤｕｒａｔｉｏｎＴｉｍｅｒ）だけでなく、非活性管理タイマー（ｄｒｘ−ＩｎａｃｔｉｖｉｔｙＴｉｍｅｒ）と再伝送管理タイマー（ｄｒｘ−ＲｅｔｒａｎｓｍｉｓｓｉｏｎＴｉｍｅｒ）が動作する時間でＰＤＣＣＨモニタリングを行わなければならない。
【００５７】
上記の各タイマーの値はサブフレームの個数と定義される。サブフレームの個数は、タイマー値に到達するまでカウントされる。タイマー値が満たすと、タイマーは終了する。現在のＬＴＥ標準は、ｄｒｘ−ＩｎａｃｔｉｖｉｔｙＴｉｍｅｒを、最初のＵＬ又はＤＬユーザデータ伝送を示すＰＤＣＣＨの成功的なデコーディング後の連続したＰＤＣＣＨ−サブフレームの個数と定義し、ｄｒｘ−ＲｅｔｒａｎｓｍｉｓｓｉｏｎＴｉｍｅｒを、端末によってＤＬ再伝送が予想される連続したＰＤＣＣＨ−サブフレームの最大の個数と定義する。
【００５８】
また、端末は、ランダムアクセスの間に又はスケジューリング要求を送信してＵＬグラントを受信しようと試みる際、ＰＤＣＣＨモニタリングを行わなければならない。
【００５９】
端末がＰＤＣＣＨモニタリングを行うべき期間を活性化時間（ａｃｔｉｖｅ  ｔｉｍｅ）と呼ぶ。活性化時間は、ＰＤＣＣＨを周期的にモニタリングするオンデューレーション、及びイベントが発生するとＰＤＣＣＨをモニタリングする時間を含む。
【００６０】
より詳しくは、上記の活性化時間は、（１）ｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ又はｍａｃ−ＣｏｎｔｅｎｔｉｏｎＲｅｓｏｌｕｔｉｏｎＴｉｍｅｒが動作する時間、（２）スケジューリング要求がＰＵＣＣＨを介して送信される時間、（３）行われているＨＡＲＱ再伝送のための上りリンクグラントが発生してもよく、該当のＨＡＲＱバッファにデータが存在する時間、又は（４）端末が選択していないプリアンブルに対するランダムアクセス応答の成功的な受信後に、端末のＣ−ＲＮＴＩにアドレシングされた新しい伝送を示すＰＤＣＣＨが受信されていない時間、を含む。
【００６１】
図７は、ＬＴＥシステムにおけるＤＲＸ動作のための方法を示す図である。
【００６２】
図７を参照すると、端末は、ＤＲＸ機能を有するＲＲＣによって構成され、それぞれのＴＴＩ（すなわち、それぞれのサブフレーム）に対する次の動作を行う。
【００６３】
ＨＡＲＱ  ＲＴＴ（Ｒｏｕｎｄ  Ｔｒｉｐ  Ｔｉｍｅ）タイマーが該当のサブフレームで満了し、該当のＨＡＲＱプロセスのデータが成功的にデコードされないと、端末は該当のＨＡＲＱプロセスのためのｄｒｘ−ＲｅｔｒａｎｓｍｉｓｓｉｏｎＴｉｍｅｒを起動する。
【００６４】
また、ＤＲＸ命令ＭＡＣ  ＣＥ（ｃｏｎｔｒｏｌ  ｅｌｅｍｅｎｔ）が受信されると、端末は、ｏｎＤｕｒａｔｉｏｎＴｉｍｅｒとｄｒｘ−ＩｎａｃｔｉｖｉｔｙＴｉｍｅｒを中止する。ＤＲＸ命令ＭＡＣ  ＣＥは、ＤＲＸ状態への遷移のための命令であり、ＭＡＣ  ＰＤＵ（Ｐｒｏｔｏｃｏｌ  Ｄａｔａ  Ｕｎｉｔ）サブヘッダーのＬＣＩＤ（Ｌｏｇｉｃａｌ  Ｃｈａｎｎｅｌ  ＩＤ）フィールドによって識別される。
【００６５】
ｄｒｘ−ＩｎａｃｔｉｖｉｔｙＴｉｍｅｒが満了したり、又はＤＲＸ命令ＭＡＣ  ＣＥが該当のサブフレームで受信される場合、短いＤＲＸ周期が構成されると、端末はｄｒｘＳｈｏｒｔＣｙｃｌｅＴｉｍｅｒを起動又は再起動し、短いＤＲＸ周期を利用する。しかし、短いＤＲＸ周期が構成されないと、長いＤＲＸ周期が利用される。付加的に、ｄｒｘＳｈｏｒｔＣｙｃｌｅＴｉｍｅｒが当該サブフレームで満了すると、長いＤＲＸ周期も利用される。
【００６６】
現在のＭＡＣ標準文書（ｓｐｅｃｉｆｉｃａｔｉｏｎ）において、端末に対してＤＲＸ機能が構成されると、端末は、各サブフレームで次のようにｏｎＤｕｒａｔｉｏｎＴｉｍｅｒを起動するか否かを確認する。
【数１】
2018026873.tif 000005
【００６７】
式Ａ（すなわち、モジューロ−ＤＲＸ周期チェック）によれば、ＤＲＸ周期の期間が最大ＳＦＮ値より短いと仮定、すなわち、最大ＳＦＮ値が現在１０２３であり、ＤＲＸ周期が２５６０サブフレームに該当すると仮定するので、オンデューレーションはＤＲＸ周期当たりに１回現れる。端末の電力消耗をより一層減少させるために、ＤＲＸ周期を‘最大ＳＦＮ値＊１０’、すなわち、１０２３０サブフレームよりも長く設定すると、オンデューレーションは１ ＤＲＸ周期内で複数回現れる。
【００６８】
端末は、上記活性化時間でＰＤＣＣＨ−サブフレームのためのＰＤＣＣＨをモニタリングする。ＰＤＣＣＨがＤＬ伝送を示したり、又はＤＬ割り当てが当該サブフレームのために構成された場合、端末は、該当のＨＡＲＱプロセスのためのＨＡＲＱ  ＲＴＴタイマーを起動し、該当のＨＡＲＱプロセスのためのｄｒｘ−ＲｅｔｒａｎｓｍｉｓｓｉｏｎＴｉｍｅｒを中止する。ＰＤＣＣＨが新しい（ＤＬ又はＵＬ）伝送を示すと、端末はｄｒｘ−ＩｎａｃｔｉｖｉｔｙＴｉｍｅｒを起動又は再起動する。
【００６９】
ここで、ＰＤＣＣＨ−サブフレームは、ＰＤＣＣＨを有するサブフレームと定義される。すなわち、ＰＤＣＣＨ−サブフレームは、ＰＤＣＣＨを伝送可能なサブフレームである。さらにいうと、ＦＤＤ（ｆｒｅｑｕｅｎｃｙ  ｄｉｖｉｓｉｏｎ  ｄｕｐｌｅｘ）システムにおいて、ＰＤＣＣＨ−サブフレームは任意のサブフレームを表す。全二重（ｆｕｌｌ−ｄｕｐｌｅｘ）ＴＤＤ（ｔｉｍｅ  ｄｉｖｉｓｉｏｎ  ｄｕｐｌｅｘ）システムにおい
て、ＰＤＣＣＨ−サブフレームは、下りリンクサブフレームとｓｃｈｅｄｕｌｉｎｇＣｅｌｌＩｄが設定されたサービングセル（すなわち、スケジューリングされたセル）を除いた全サービングセルのＤｗＰＴＳを含むサブフレームとの組み合わせ（ｕｎｉｏｎ）を表す。ここで、ｓｃｈｅｄｕｌｉｎｇＣｅｌｌＩｄは、スケジューリングセルのＩＤを表す。半二重（ｈａｌｆ−ｄｕｐｌｅｘ）ＴＤＤシステムにおいて、ＰＤＣＣＨ−サブフレームは、ＰＣｅｌｌ（プライマリセル）が下りリンクサブフレーム又はＤｗＰＴＳを含むサブフレームとして構成されるサブフレームを表す。
【００７０】
一方、活性化時間でないとき、端末は、基地局によってトリガされるＳＲＳ（Ｓｏｕｎｄｉｎｇ  Ｒｅｆｅｒｅｎｃｅ  Ｓｉｇｎａｌ）伝送及びＣＳＩ報告を行わない。
【００７１】
上記ＤＲＸ動作が行われる間、ＨＡＲＱ  ＲＴＴタイマーだけが８ｍｓと固定され、基地局は、他のタイマー値であるｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ及びｍａｃ−ＣｏｎｔｅｎｔｉｏｎＲｅｓｏｌｕｔｉｏｎＴｉｍｅｒをＲＲＣ信号を用いて端末に知らせる。また、基地局は、ＤＲＸ周期の期間を表す長いＤＲＸ周期及び短いＤＲＸ周期を、ＲＲＣ信号を用いて端末に知らせる。
【００７２】
図８は、搬送波集成を示す図である。
【００７３】
複数の搬送波を支援するための搬送波集成技術を、図８を参照して以下に説明する。上述したように、搬送波集成によって、既存の無線通信システム（例えば、ＬＴＥシステム）で定義された帯域幅単位（例えば２０ＭＨｚ）の最大５個の搬送波（ＣＣ（ｃｏｍｐｏｎｅｎｔ  ｃａｒｒｉｅｒ））をバンドリングする方式で最大１００ＭＨｚのシステム帯域幅を支援することができる。搬送波集成に用いられるコンポーネント搬送波は、同一又は別個の帯域幅サイズを有することができる。そして、コンポーネント搬送波は別個の周波数帯域（又は、中心周波数）を有することができる。コンポーネント搬送波は、隣接した周波数帯域に存在することができる。しかし、不連続した周波数帯域上に存在するコンポーネント搬送波も、搬送波集成に用いることができる。搬送波集成技術において、上りリンク及び下りリンクの帯域幅サイズは対称的又は非対称的に割り当てることができる。
【００７４】
搬送波集成のために用いられる複数の搬送波（コンポーネント搬送波）は、プライマリコンポーネント搬送波（ＰＣＣ）とセカンダリコンポーネント搬送波（ＳＣＣ）とに区別することができる。ＰＣＣは、Ｐセル（プライマリセル）と呼ぶこともでき、ＳＣＣは、Ｓセル（セカンダリセル）と呼ぶこともできる。プライマリコンポーネント搬送波は、基地局がトラフィック及び制御シグナリングを端末と交換するために用いる。この場合、制御シグナリングは、コンポーネント搬送波の追加、プライマリコンポーネント搬送波、上りリンク（ＵＬ）グラント、下りリンク（ＤＬ）割り当てのための設定などを含む。基地局は複数のコンポーネント搬送波を用いることができるが、該当の基地局に属した端末は、１つのプライマリコンポーネント搬送波だけを有するように設定することができる。端末が単一搬送波モードで動作する場合、プライマリコンポーネント搬送波が用いられる。このため、独立して用いられるように、プライマリコンポーネント搬送波は基地局と端末間のデータ及び制御シグナリングの交換のための全ての要件を満たすように設定される必要がある。
【００７５】
一方、セカンダリコンポーネント搬送波は、送受信されるデータの要求されるサイズによって活性化又は非活性化される付加的なコンポーネント搬送波を含むことができる。セカンダリコンポーネント搬送波は、基地局から受信される特定の命令及び規則にしたがってのみ用いられるように設定されてもよい。付加的な帯域幅を支援するために、セカンダリコンポーネント搬送波はプライマリコンポーネント搬送波と共に用いられるように設定さ
れてもよい。活性化されたコンポーネント搬送波を介してＵＬグラント、ＤＬ割り当てなどのような制御信号を端末が基地局から受信することができる。活性化されたコンポーネント搬送波を介して、ＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）、ＲＩ（ｒａｎｋ  ｉｎｄｉｃａｔｏｒ）、ＳＲＳ（ｓｏｕｎｄｉｎｇ  ｒｅｆｅｒｅｎｃｅ  ｓｉｇｎａｌ）などのＵＬ制御信号を端末から（ＳＲＳ）基地局に送信することができる。
【００７６】
端末へのリソース割り当てのためにプライマリコンポーネント搬送波と複数のセカンダリコンポーネント搬送波を用いることができる。複数の搬送波集成モードで、システム負荷（すなわち、静的／動的負荷バランシング）、ピークデータ速度又はサービス品質要件に基づいて、システムはＤＬ及び／又はＵＬに非対称的にセカンダリコンポーネント搬送波を割り当てることができる。搬送波集成技術を利用するにあたって、コンポーネント搬送波の設定は、ＲＲＣ接続過程の後に基地局から端末に提供することができる。この場合、ＲＲＣ接続は、端末のＲＲＣレイヤとネットワーク間でＳＲＢを介して交換されるＲＲＣシグナリングに基づいて無線リソースが端末に割り当てられることを意味することができる。端末と基地局間のＲＲＣ接続過程が完了した後、基地局は、プライマリコンポーネント搬送波及びセカンダリコンポーネント搬送波に関する設定情報を端末に提供することができる。セカンダリコンポーネント搬送波に関する設定情報は、セカンダリコンポーネント搬送波の追加／削除（又は活性化／非活性化）を含むことができる。したがって、基地局と端末間のセカンダリコンポーネント搬送波を活性化したり、以前のセカンダリコンポーネント搬送波を非活性化するためには、ＲＲＣシグナリングとＭＡＣ制御要素を交換する必要がある。
【００７７】
セカンダリコンポーネント搬送波の活性化又は非活性化は、ＱｏＳ（ｑｕａｌｉｔｙ  ｏｆ  ｓｅｒｖｉｃｅ）、搬送波の負荷条件及びその他の要素に基づいて基地局が決定することができる。そして、基地局は、ＤＬ／ＵＬに対する指示タイプ（ｉｎｄｉｃａｔｉｏｎ  ｔｙｐｅ）（活性化／非活性化）、セカンダリコンポーネント搬送波リストなどの情報を含む制御メッセージを用いてセカンダリコンポーネント搬送波を設定するように端末に指示することができる。
【００７８】
一部のセルはＴＤＤモードで動作し、他のセルはＦＤＤモードで動作する複数のセルが端末に設定される場合（ＴＤＤ−ＦＤＤ連合動作（ｊｏｉｎｔ  ｏｐｅｒａｔｉｏｎ）という。）のためにサブフレーム構成が定義される。
【００７９】
ＦＤＤ  Ｐセルの場合、ＰセルのみにおけるＰＵＣＣＨによるＤＬクロス搬送波スケジューリングのために、スケジューリングされたサービングセルのＤＬ  ＨＡＲＱタイミングは、Ｐセルのタイミングに従う。スケジューリングサービングセルがＦＤＤであり、スケジューリングされたサービングセルがＴＤＤである場合、ＵＬクロス搬送波スケジューリングのために、ＴＤＤスケジューリングされたサービングセルのスケジューリング／ＨＡＲＱタイミングは、ＴＤＤスケジューリングされたサービングセルのＵＬ／ＤＬ構成に従う。スケジューリングサービングセルがＴＤＤであり、スケジューリングされたサービングセルがＦＤＤである場合、ＵＬクロス搬送波スケジューリングのために、ＦＤＤスケジューリングされたサービングセルのスケジューリング／ＨＡＲＱタイミングは、ｉ）１０ｍｓのＲＴＴ、ｉｉ）ＵＬグラント／ＰＨＩＣＨとＰＵＳＣＨとの間の４ｍｓ、ｉｉｉ）ＰＵＳＣＨとＰＨＩＣＨとの間の６ｍｓに従う。
【００８０】
ＴＤＤ  Ｐセルのセルフスケジューリングが支援されると、ＴＤＤ  Ｐセルの場合、ＰセルのみにおけるＰＵＣＣＨによるＤＬクロス搬送波スケジューリングのために、スケジューリングされたサービングセルのＤＬ  ＨＡＲＱタイミングは、Ｐセルのタイミングに従う。Ｐセルのタイミングは、ＰセルのＳＩＢ１  ＵＬ／ＤＬ構成によって決定されるＤＬ
ＨＡＲＱタイミング又はＰＣセルのＤＬ−参照ＨＡＲＱタイミングと定義される。
【００８１】
ＵＬクロス搬送波スケジューリングのために、スケジューリングサービングセルがＦＤＤであり、スケジューリングされたサービングセルがＴＤＤである場合、ＴＤＤスケジューリングされたサービングセルのスケジューリング／ＨＡＲＱタイミングは、ＴＤＤスケジューリングされたサービングセルのＵＬ／ＤＬ構成に従う。ＵＬクロス搬送波スケジューリングのために、スケジューリングサービングセルがＴＤＤであり、スケジューリングされたサービングセルがＦＤＤである場合、ＦＤＤスケジューリングされたサービングセルのスケジューリング／ＨＡＲＱタイミングは、ｉ）１０ｍｓのＲＴＴ、ｉｉ）ＵＬグラント／ＰＨＩＣＨとＰＵＳＣＨとの間の４ｍｓ、ｉｉｉ）ＰＵＳＣＨとＰＨＩＣＨとの間の６ｍｓに従う。
【００８２】
図９Ａは、ＦＤＤ端末動作のためのテーブルの一例を示し、図９Ｂは、ＴＤＤ端末動作のためのテーブルの一例を示している。
【００８３】
明細書で使われる用語を次に説明する。
‘Ｆ’＝ＦＤＤサブフレーム
‘Ｄ’＝ＴＤＤ下りリンクサブフレーム
‘Ｕ’＝ＴＤＤ上りリンクサブフレーム
‘Ｓ’＝ＤｗＰＴＳを含むＴＤＤサブフレーム
‘ＮＵ’＝非上りリンク（ｎｏｎ−ｕｐｌｉｎｋ）サブフレーム、すなわち、少なくとも１つのＴＤＤサービングセルに対するＤ又はＳ
‘Ｙ’＝はい
‘ＮＯ’＝いいえ
【００８４】
ＭＡＣ標準文書（ｓｐｅｃｉｆｉｃａｔｉｏｎ）において、ＰＤＣＣＨ−サブフレームは、ＰＤＣＣＨを送信するサブフレームを表し、これは、ＰＤＣＣＨを送信しないサブフレームはＰＤＣＣＨ−サブフレームでないことを意味する。ＰＤＣＣＨ−サブフレームにおいて、端末は、活性化時間にＰＤＣＣＨをモニタリングする。また、ＰＤＣＣＨ−サブフレームは、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ、ｏｎＤｕｒａｔｉｏｎＴｉｍｅｒのようなＤＲＸ動作と関連したタイマーをカウントするために用いられる。ＰＤＣＣＨモニタリング動作とＤＲＸ動作は端末のバッテリー消耗に影響を及ぼすので、ＰＤＣＣＨ−サブフレームは必要な場合に限って端末がＰＤＣＣＨをモニタリングするように定義される必要がある。
【００８５】
現在、ＰＤＣＣＨ−サブフレームは、ＦＤＤモード又はＴＤＤモードで動作する端末に対して定義される。ＴＤＤモードで動作する端末に対して、ＰＤＣＣＨ−サブフレームはそれぞれ別個のＴＤＤ  ＵＬ／ＤＬ構成を有する複数のセルが端末に設定される場合を含めて定義される。
【００８６】
図９Ａを参照すると、端末のＦＤＤ動作に対して、ＰＤＣＣＨ−サブフレームは任意のサブフレームを表す。したがって、端末は全サブフレームをモニタリングし、全サブフレームでＤＲＸタイマーをカウントする。ＰＤＣＣＨモニタリングの際、端末が半二重方式であれば、上りリンク伝送が行われるサブフレームではＰＤＣＣＨをモニタリングしないが、ＤＲＸタイマーはカウントする。
【００８７】
図９Ｂを参照すると、端末のＴＤＤ動作に対して、ＰＤＣＣＨ−サブフレームは、下りリンクサブフレームと、ｓｃｈｅｄｕｌｉｎｇＣｅｌｌＩｄが設定されたサービングセル（すなわち、スケジューリングされたセル）を除いた全てのサービングセルのＤｗＰＴＳを含むサブフレームとの組み合わせを示す。端末は、構成された全てのセカンダリセルが上
りリンクサブフレームであるサブフレームではＰＤＣＣＨをモニタリングしなく、構成された全てのセカンダリセルが上りリンクサブフレームであるサブフレームではＤＲＸタイマーをカウントしない。
【００８８】
しかし、一部の構成されたセルがＴＤＤモードで動作し、他のセルがＦＤＤモードで動作する（いわゆる、ＴＤＤ−ＦＤＤ連合動作）複数のセルが端末に設定される場合に対してはＰＤＣＣＨ−サブフレームがまだ定義されていない。端末のＰＤＣＣＨモニタリング動作及びＤＲＸ動作がＰＤＣＣＨ−サブフレームに基づいて行われるため、ＰＤＣＣＨ−サブフレームが定義されないと、ＴＤＤ−ＦＤＤ連合動作においてＰＤＣＣＨモニタリング動作及びＤＲＸ動作に関連した端末の動作が不明確になりうる。
【００８９】
図１０は、本発明の実施例による搬送波集成システムにおけるＤＲＸタイマーカウンティングを示す概念図である。
【００９０】
本発明において、少なくとも２つのセルが端末に設定される場合、端末が第１セル上でＴＤＤ−ＦＤＤ連合動作を行い、第２セル上でＴＤＤ−ＦＤＤ連合動作を行うとき、ＰＤＣＣＨ−サブフレーム、ＰＤＣＣＨモニタリング動作及びＤＲＸタイマーカウンティングが新しく定義される。
【００９１】
ＴＤＤ−ＦＤＤ連合動作の場合、ｓｃｈｅｄｕｌｉｎｇＣｅｌｌＩｄが設定されていない少なくとも１つのＦＤＤサービングセルが端末に設定されると、ＰＤＣＣＨ−サブフレームは、任意のサブフレームを表す。端末に対して設定される全てのＦＤＤサービングセルにｓｃｈｅｄｕｌｉｎｇＣｅｌｌＩｄが設定されると、ＰＤＣＣＨ−サブフレームは、下りリンクサブフレームと、ｓｃｈｅｄｕｌｉｎｇＣｅｌｌＩｄが設定されたＴＤＤサービングセルを除いた全てのＴＤＤサービングセルのＤｗＰＴＳを含むサブフレームとの組み合わせを表す。
【００９２】
言い換えると、ＦＤＤサービングセルが設定されたＭＡＣ個体の場合、ＰＤＣＣＨ−サブフレームは、任意のサブフレームを表し、、少なくとも１つのＴＤＤサービングセルが設定されたＭＡＣ個体の場合、集成されたセルで同時送受信が可能なＭＡＣ個体であれば、ＰＤＣＣＨ−サブフレームは、全てのサービングセルに対して下りリンクサブフレームと、ｓｃｈｅｄｕｌｉｎｇＣｅｌｌＩｄが設定されたサービングセル（すなわち、スケジューリングされたセル）を除いたｔｄｄ−Ｃｏｎｆｉｇが示すＴＤＤ  ＵＬ／ＤＬ構成のＤｗＰＴＳを含むサブフレームとの組み合わせを表し、その他の場合、ＰＤＣＣＨ−サブフレームは、ＳＣｅｌｌが下りリンクサブフレーム又はｔｄｄ−Ｃｏｎｆｉｇが示すＴＤＤ
ＵＬ／ＤＬ構成のＤｗＰＴＳを含むサブフレームとして構成されるサブフレームを表す。
【００９３】
上記のように定義されたＰＤＣＣＨ−サブフレームに基づいて、i）活性化時間は、端末
がＰＤＣＣＨ−サブフレームでＰＤＣＣＨをモニタリングする間にＤＲＸ動作に関連した時間を表し、ii）ｄｒｘ−ＩｎａｃｔｉｖｉｔｙＴｉｍｅｒは、ＰＤＣＣＨが端末に最初のＵＬ又はＤＬユーザデータ伝送を示すサブフレーム以降の連続したＰＤＣＣＨ−サブフレームの個数を表し、iii）ｄｒｘ−ＲｅｔｒａｎｓｍｉｓｓｉｏｎＴｉｍｅｒは、ＤＬ
再伝送が受信されるまでの連続したＰＤＣＣＨ−サブフレームの最大個数を表し、iｖ）
ｏｎＤｕｒａｔｉｏｎＴｉｍｅｒは、ＤＲＸ周期が始まる時の連続したＰＤＣＣＨ−サブフレームの個数を表す。
【００９４】
好ましくは、ＤＲＸタイマーは、ｄｒｘ−不活性タイマー、ｄｒｘ−再伝送タイマー、及びｏｎＤｕｒａｔｉｏｎタイマーを含む。
【００９５】
少なくとも１つのＦＤＤサービングセルと少なくとも１つのＴＤＤサービングセルを含む複数のセルが端末に設定されると（Ｓ１００１）、端末は、サブフレームでＤＲＸタイマーをカウントする（Ｓ１００３）。
【００９６】
好ましくは、上記サブフレームは、全てのＴＤＤサービングセルに対して上りリンクサブフレームである。複数のセルがいずれもＴＤＤサービングセルで構成される場合、端末は、全てのＴＤＤサービングセルに対して上りリンクサブフレームであるサブフレームでＤＲＸタイマーをカウントしない（Ｓ１００５）。
【００９７】
好ましくは、端末にＴＤＤ−ＦＤＤ連合動作が設定される場合、端末がＤＲＸタイマーをカウントするサブフレームは、下りリンクフレームと全てのサービングセルのＤｗＰＴＳを含むサブフレームとの連合に該当する。そして、ＦＤＤサービングセルに対する全てのサブフレームは、下りリンクサブフレームと見なす。
【００９８】
好ましくは、全てのＴＤＤサービングセルにｓｃｈｅｄｕｌｉｎｇＣｅｌｌＩｄが設定されない。すなわち、全てのＴＤＤサービングセルはスケジューリングされたセルではない。また、全てのＦＤＤサービングセルにｓｃｈｅｄｕｌｉｎｇＣｅｌｌＩｄが設定されない。すなわち、全てのＦＤＤサービングセルはスケジューリングされたセルではない。
【００９９】
図１１及び図１２は、本発明の実施例に係る搬送波集成システムにおけるＤＲＸタイマーカウンティングの一例を示す図である。
【０１００】
以下の例では、サービングセルにｓｃｈｅｄｕｌｉｎｇＣｅｌｌＩｄが設定されていない、すなわち、サービングセルのＰＤＣＣＨをサービングセル上で受信する場合を考慮する。
【０１０１】
図１１は、ＰＣｅｌｌがＦＤＤモードとして構成され、ＳＣｅｌｌ１及びＳＣｅｌｌ２がＴＤＤモードとして構成される例を示す。
【０１０２】
上述したように、少なくとも１つのＦＤＤサービングセルが端末に設定される場合、ＰＤＣＣＨ−サブフレームは任意のサブフレームを表す。この場合、ＰＣｅｌｌはＦＤＤサービングセルであるため、ＰＤＣＣＨ−サブフレームは任意のサブフレームを表す。第３及び第４サブフレーム（サブフレームインデックス＝２、３）はＴＤＤサービングセルの組み合わせに該当するが、第３及び第４サブフレームもＰＤＣＣＨ−サブフレームである。
【０１０３】
好ましくは、ＤＲＸタイマーは、ｄｒｘ−不活性タイマー、ｄｒｘ−再伝送タイマー及びｏｎＤｕｒａｔｉｏｎタイマーのうち少なくとも１つを含む。
【０１０４】
好ましくは、ＦＤＤサービングセルに対する全てのサブフレームは下りリンクサブフレームであるため、ＰＤＣＣＨ−サブフレームは、下りリンクサブフレームと全てのサービングセルのＤｗＰＴＳを含むサブフレームとの組み合わせのうちの一つである。
【０１０５】
したがって、ＴＤＤサービングセルに対して上りリンクサブフレームである場合、端末は、ＴＤＤサービングセル上でＰＤＣＣＨをモニタリングしない。しかし、ＴＤＤサービングセルに対して、サブフレームがＴＤＤサービングセルの組み合わせに対して上りリンクサブフレームであっても、すなわち、端末が上記サブフレームで任意のＴＤＤサービングセル上でＰＤＣＣＨを受信することができないとしても、端末は上記サブフレームでＤＲＸタイマーをカウントする。
【０１０６】
一方、端末が任意のＴＤＤサービングセル上でＰＤＣＣＨを受信できるサブフレームでＤ
ＲＸタイマーをカウントすると、ＰＤＣＣＨ−サブフレームは、下りリンクサブフレームと全てのＴＤＤサービングセルのＤｗＰＴＳを含むサブフレームとの組み合わせを表すこともできる。そして、ＦＤＤサービングセルに対して、端末は、サブフレームでＰＤＣＣＨを受信することができるとしても、そのサブフレームでＤＲＸタイマーをカウントしない。すなわち、端末は、ＰＤＣＣＨ−サブフレームの他、ＰＤＣＣＨを受信可能なサブフレームでもＰＤＣＣＨをモニタリングする。このサブフレームで端末はＤＲＸタイマーをカウントしない。
【０１０７】
図１２には、ＰＣｅｌｌ及びＳＣｅｌｌ２がＴＤＤモードとして構成され、ＳＣｅｌｌ１がＦＤＤモードとして構成される例を示す。
【０１０８】
上述したように、少なくとも１つのＦＤＤサービングセルが端末に設定される場合、ＰＤＣＣＨ−サブフレームは任意のサブフレームを表す。この場合、ＳＣｅｌｌ１がＦＤＤサービングセルであるので、ＰＤＣＣＨ−サブフレームは任意のサブフレームを表す。第３及び第４サブフレーム（サブフレームインデックス＝２、３）は、ＴＤＤサービングセルの組み合わせに該当するが、第３及び第４サブフレームもＰＤＣＣＨ−サブフレームである。
【０１０９】
したがって、ＴＤＤサービングセルに対して上りリンクサブフレームである場合、端末はＴＤＤサービングセル上でＰＤＣＣＨをモニタリングしない。しかし、ＴＤＤサービングセルに対して、サブフレームがＴＤＤサービングセルの組み合わせに対して上りリンクサブフレームであるとしても、すなわち、端末が上記サブフレームで任意のＴＤＤサービングセル上でＰＤＣＣＨを受信することができないとしても、端末は上記サブフレームでＤＲＸタイマーをカウントする。
【０１１０】
一方、端末が任意のＴＤＤサービングセル上でＰＤＣＣＨを受信できるサブフレームでＤＲＸタイマーをカウントすると、ＰＤＣＣＨ−サブフレームは、下りリンクサブフレームと全てのＴＤＤサービングセルのＤｗＰＴＳを含むサブフレームとの組み合わせを表すこともできる。そして、ＦＤＤサービングセルに対して、端末はサブフレームでＰＤＣＣＨを受信することができるとしても、そのサブフレームでＤＲＸタイマーをカウントしない。すなわち、端末は、ＰＤＣＣＨ−サブフレームの他、ＰＤＣＣＨを受信可能なサブフレームでもＰＤＣＣＨをモニタリングする。このサブフレームで端末はＤＲＸタイマーをカウントしない。
【０１１１】
本発明は、本発明の特徴又は範囲を逸脱しない範囲で他の特定の形態に具体化できるということは、当業者にとって自明である。したがって、本発明の範囲は、添付の請求項の合理的解釈によって決定されなければならず、本発明の等価的範囲内での全ての変更は本発明の範囲に含まれる。
【０１１２】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、または、他の実施例の対応する構成又は特徴に置換されてもよい。特許請求の範囲において明示的な引用関係にない請求項を結合して実施例を構成したり、出願後の補正によって新しい請求項として含めたりできるということは明らかである。
【０１１３】
本発明の実施例において、基地局（ＢＳ）によって行われると説明された特定の動作は、
上位ノードのＢＳによって行われてもよい。ＢＳを含む複数のネットワークノードで、ＭＳとの通信のために行われる様々な動作が、基地局によって行われたり、基地局以外の他のネットワークノードによって行われ得ることは明らかである。'ｅＮＢ'は、'固定局（
ｆｉｘｅｄ  ｓｔａｔｉｏｎ）'、'ＮｏｄｅＢ'、'基地局（ＢＳ）'、アクセスポイント
などの用語に代替されてもよい。
【０１１４】
上述した実施例は、例えば、ハードウェア、ファームウエア、ソフトウェアまたはこれらの組み合わせのような様々な手段によって具現されてもよい。
【０１１５】
ハードウェアの設定において、本発明の実施例に係る方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０１１６】
ファームウエアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。前記メモリユニットは、前記プロセッサの内部又は外部に位置して、公知の様々な手段によって前記プロセッサとデータを交換することができる。
【０１１７】
本発明は、本発明の特徴を逸脱しない範囲で他の特定の形態に具体化できるということは、当業者にとって自明である。したがって、上記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１１８】
上述した方法は、３ＧＰＰ  ＬＴＥシステムに適用される例示を中心に説明されたが、本発明は、３ＧＰＰ  ＬＴＥシステムのみならず様々な無線通信システムに適用可能である。
【図１】
2018026873.tif 000006
【図２Ａ】
2018026873.tif 000007
【図２Ｂ】
2018026873.tif 000008
【図３】
2018026873.tif 000009
【図４】
2018026873.tif 000010
【図５】
2018026873.tif 000011
【図６】
2018026873.tif 000012
【図７】
2018026873.tif 000013
【図８】
2018026873.tif 000014
【図９Ａ】
2018026873.tif 000015
【図９Ｂ】
2018026873.tif 000016
【図１０】
2018026873.tif 000017
【図１１】
2018026873.tif 000018
【図１２】
2018026873.tif 000019
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
無線通信システムで動作するユーザ端末（ＵＥ：User Equipment）に対する方法であって、
ｅＮＢ（ｅＮｏｄｅ−Ｂ）から、ＤＲＸ（Discontinuous Reception：不連続受信）動作を設定するためのＲＲＣ（Radio Resource Control：無線資源制御）信号を受信することと、
前記ＲＲＣ信号にしたがって、前記ＤＲＸ動作と関連するタイマを設定することにより、前記ＤＲＸ動作を設定することと、
少なくとも１つのＦＤＤ（Frequency Division Duplex：周波数分割デュプレックス）サービングセルおよび少なくとも１つのＴＤＤ（Time Division Duplex：時分割デュプレックス）サービングセルが前記ＵＥに対して設定される場合、前記ＵＥに対して設定された全てのＴＤＤサービングセル用の上りリンクサブフレームであるサブフレームをカウントすることによって、前記ＤＲＸ動作と関連するタイマを動作させることと、を備える方法。
【請求項２】
前記ＤＲＸタイマと関連するタイマは、ｄｒｘ−不活性タイマ、ｄｒｘ再伝送タイマおよびｏｎＤｕｒａｔｉｏｎタイマの少なくとも１つを含む、請求項１に記載の方法。
【請求項３】
前記ＵＥに設定された全てのＴＤＤサービングセル用の上りリンクサブフレームであるサブフレームの１つにおけるＰＤＣＣＨ（Physical Downlink Control Channel）を監視することをさらに備える、請求項１に記載の方法。
【請求項４】
前記ＵＥによってカウントされるサブフレームは、前記ＵＥに設定された全てのＦＤＤサービングセル用の下りリンクサブフレームであり、
前記少なくとも１つのＦＤＤサービングセルの全ては、ｓｃｈｅｄｕｌｉｎｇＣｅｌｌＩｄが設定されない、請求項１に記載の方法。
【請求項５】
前記少なくとも１つのＴＤＤサービングセルの全ては、ｓｃｈｅｄｕｌｉｎｇＣｅｌｌＩｄが設定されない、請求項１に記載の方法。
【請求項６】
無線通信システムで動作するユーザ端末（ＵＥ：User Equipment）であって、
ＲＦ（Radio Frequency）モジュールと、
前記ＲＦモジュールと動作可能に接続されたプロセッサと、を備え、
前記プロセッサは、
ｅＮＢ（ｅＮｏｄｅ−Ｂ）から、ＤＲＸ（Discontinuous Reception：不連続受信）動作を設定するためのＲＲＣ（Radio Resource Control：無線資源制御）信号を受信し、
前記ＲＲＣ信号にしたがって、前記ＤＲＸ動作と関連するタイマを設定することにより、前記ＤＲＸ動作を設定し、
少なくとも１つのＦＤＤ（Frequency Division Duplex：周波数分割デュプレックス）サービングセルおよび少なくとも１つのＴＤＤ（Time Division Duplex：時分割デュプレックス）サービングセルが前記ＵＥに対して設定される場合、前記ＵＥに設定された全てのＴＤＤサービングセル用の上りリンクサブフレームであるサブフレームをカウントすることによって、前記ＤＲＸ動作と関連するタイマを動作させる、ユーザ端末。
【請求項７】
前記ＤＲＸタイマと関連するタイマは、ｄｒｘ−不活性タイマ、ｄｒｘ再伝送タイマおよびｏｎＤｕｒａｔｉｏｎタイマの少なくとも１つを含む、請求項６に記載のユーザ端末。
【請求項８】
前記プロセッサは、さらに、前記ＵＥに設定された全てのＴＤＤサービングセル用の上りリンクサブフレームであるサブフレームの１つにおけるＰＤＣＣＨ（Physical Downlink Control Channel）を監視する、請求項６に記載のユーザ端末。
【請求項９】
前記ＵＥによってカウントされるサブフレームは、前記ＵＥに設定された全てのＦＤＤサービングセル用の下りリンクサブフレームであり、
前記少なくとも１つのＦＤＤサービングセルの全ては、ｓｃｈｅｄｕｌｉｎｇＣｅｌｌＩｄが設定されない、請求項６に記載のユーザ端末。
【請求項１０】
前記少なくとも１つのＴＤＤサービングセルの全ては、ｓｃｈｅｄｕｌｉｎｇＣｅｌｌＩｄが設定されない、請求項６に記載のユーザ端末。